(57)【要約】      （修正有）【課題】材質の弾性を利用して２つのテンプル部材がレンズフレームの両側に接続されることができる、ネジ無し眼鏡及びそのテンプル部材を提供する。【解決手段】ネジ無し眼鏡のテンプル部材は、レンズフレーム本体に接続され、第１の接続部材２１及び第２の接続部材２２を含む。この第１の接続部材は、レバー部２１１と前記レンズフレーム本体から離れる方向に向かって前記レバー部から延在された係止部とを含む。第２の接続部材２２は、弾性部２２１と前記レンズフレーム本体から離れる方向に向かって前記弾性部から延在された係合部２２２とを含む。係止部２１２は、係合部２２２に取り外し可能に係止される。弾性部２２１は、係合部２２２を支点として弾性的にレバー部２１１に寄り掛かる。これにより、レンズフレーム本体の智が弾性部２２１とレバー部２１１との間に回動可能に挟持される。【選択図】図３
0003188234.tif 000002
【実用新案登録請求の範囲】
【請求項１】
レンズフレーム本体に接続されるネジ無し眼鏡のテンプル部材であって、
レバー部と前記レンズフレーム本体から離れる方向に向かって前記レバー部から延在された係止部とを含む第１の接続部材と、
弾性部と前記レンズフレーム本体から離れる方向に向かって前記弾性部から延在された係合部とを含む第２の接続部材と、
を含み、
前記係止部が前記係合部に取り外し可能に係止され、前記弾性部が前記係合部を支点として弾性的に前記レバー部に寄り掛かりることによって、前記レンズフレーム本体の智が前記弾性部と前記レバー部との間に回動可能に挟持されることを特徴とするネジ無し眼鏡のテンプル部材。
【請求項２】
前記レバー部の前記レンズフレーム本体寄りの一端は湾曲して前記弾性部の方向に向かうフックとして延在形成され、前記フックが回動可能に前記智に据え付けられることを特徴とする請求項１に記載のネジ無し眼鏡のテンプル部材。
【請求項３】
前記レバー部の前記レンズフレーム本体寄りの一端に当接スラットが延在して形成され、前記当接スラットが前記智に当接することを特徴とする請求項２に記載のネジ無し眼鏡のテンプル部材。
【請求項４】
前記係止部には、前記レバー部から離れる第１の係止部と、前記レバー部に隣接する第２の係止部が設けられ、前記係合部には、係合スロットが設けられ、前記係止部が前記係合スロットを貫通し、且つ前記第１の係止部及び前記第２の係止部がそれぞれ前記係合部の両端縁に係合することを特徴とする請求項１に記載のネジ無し眼鏡のテンプル部材。
【請求項５】
前記係止部は、その幅が前記レバー部の幅よりも大きく且つ前記第２の接続部材に向かって延在され、
前記第１の係止部は、当接凸部と、前記当接凸部によって形成された収容溝とを含み、
前記第２の係止部は、延在部と、固定凸部と、前記延在部及び前記固定凸部によって共同で形成された位置制限溝とを含むことを特徴とする請求項４に記載のネジ無し眼鏡のテンプル部材。
【請求項６】
前記第２の係止部には、切欠きが設けられ、前記係合部の前記弾性部寄りの一端には、係合ホゾが形成され、前記係合ホゾが前記切欠きに収容されることを特徴とする請求項４に記載のネジ無し眼鏡のテンプル部材。
【請求項７】
前記第１の接続部材は、前記レバー部から離れる方向に向かって前記係止部から延在された、ユーザの耳に掛けられるモダンを更に含むことを特徴とする請求項１に記載のネジ無し眼鏡のテンプル部材。
【請求項８】
前記第１の接続部材は、ユーザの頬と前記第２の接続部材との間に位置することを特徴とする請求項１に記載のネジ無し眼鏡のテンプル部材。
【請求項９】
前記第２の接続部材は、ユーザの頬に対してほぼ平行し、前記第１の接続部材は、前記第２の接続部材に対してほぼ垂直であることを特徴とする請求項１に記載のネジ無し眼鏡のテンプル部材。
【請求項１０】
前記弾性部は、組付けスロットを有し、前記第１の接続部材の前記レバー部は前記組付けスロットまで選択的に延在されることを特徴とする請求項１に記載のネジ無し眼鏡のテンプル部材。
【請求項１１】
前記第２の接続部材は、前記レバー部から離れる方向に向かって前記係合部から延在された、ユーザの耳に掛けられるモダンを更に含むことを特徴とする請求項１に記載のネジ無し眼鏡のテンプル部材。
【請求項１２】
第１のリム及び第２のリムを含み、前記第１のリムの一端が前記第２のリムの一端に接続されるリムと、
前記リムの両側から延在された一対の智と、
両端がそれぞれ前記第１のリムの他端及び前記第２のリムの他端に固定される固定部材と、
を含むことを特徴とするネジ無し眼鏡のレンズフレーム本体。
【請求項１３】
前記第１のリム及び前記第２のリムのそれぞれに溝が設けられ、
前記固定部材は、固定本体と前記固定本体の両端から延在された当止部とを含み、
前記当止部は、それぞれ前記第１のリムの溝及び前記第２のリムの溝を貫通するとともに、それぞれ前記第１のリム及び前記第２のリムに当接することを特徴とする請求項１２に記載のネジ無し眼鏡のレンズフレーム本体。
【請求項１４】
前記固定本体は弾性体であることを特徴とする請求項１３に記載のネジ無し眼鏡のレンズフレーム本体。
【請求項１５】
リム及び前記リムの両側から延在された一対の智を含むレンズフレーム本体と、
レバー部と前記レンズフレーム本体から離れる方向に向かって前記レバー部から延在された係止部とを含む第１の接続部材と、弾性部と前記レンズフレーム本体から離れる方向に向かって前記弾性部から延在された係合部とを含む第２の接続部材と、を含み、前記係止部が前記係合部に取り外し可能に係止され、前記弾性部が前記係合部を支点として弾性的に前記レバー部に寄り掛かりることによって、前記智が前記弾性部と前記レバー部との間に回動可能に挟持される、前記レンズフレーム本体の両側の前記智に接続される２つのテンプル部材と、
を含むことを特徴とするネジ無し眼鏡。
【請求項１６】
前記レバー部の前記レンズフレーム本体寄りの一端は湾曲して前記弾性部の方向に向かうフックとして延在形成され、前記智には穿設孔及び軸部が設けられ、前記フックが前記穿設孔を貫通し、且つ前記フックが回動可能に前記軸部に据え付けられることを特徴とする請求項１５に記載のネジ無し眼鏡。
【請求項１７】
前記智は、前記リムから離れる方向に向かって前記軸部両端から延在され、前記弾性部に弾性的に当接する一対の凸頂部を更に含むことを特徴とする請求項１５に記載のネジ無し眼鏡。
【考案の詳細な説明】
【技術分野】
【０００１】
本考案は眼鏡に関し、特にネジの組み合わせを利用しない眼鏡に関する。
【背景技術】
【０００２】
眼鏡は、現代の人類に常用される器具であり、眼の焦点を調整するのに用いるにせよ或いは装身具として用いるにせよ、多くの人々にとって欠かすことのできない存在である。
【０００３】
従来の眼鏡では、テンプル及びレンズフレームを組み合わせる手段としてネジ接続又は溶接が用いられている。しかしながら、ネジ接続は、組み付けが煩雑であり、且つネジに錆が生じやすく、又はネジが脱落しやすい問題があった。一方、溶接は、亀裂が生じやすく、且つ環境保護に適しない問題があった。
【０００４】
上述した問題を解決するための先行技術としては、台湾実用新案公告第Ｍ３０８４１８号において、レンズフレームの両側それぞれにスリットが設けられ、接続部材の両側壁が前記スリットを貫通することで、テンプルと側壁とが互いにピン接続されることを特徴とする眼鏡が開示されている。この配置方法を利用することによって、ネジを用いることなく眼鏡を組み付ける目的を達成している。しかしながら、このようなピン接続の方法では、接続部材とテンプルとが互いに移動しやすくなる問題があるため、眼鏡を頻繁に調整する必要がある。
【考案の概要】
【考案が解決しようとする課題】
【０００５】
前述した問題を解決するために、本考案は、互いに係合可能な第１の接続部材及び第２の接続部材を利用してテンプル部材が形成され、且つ材質の弾性を利用して２つの接続部材がレンズフレームの両側に接続されることができる、ネジ無し眼鏡及びそのテンプル部材を提供することを課題とする。
【課題を解決するための手段】
【０００６】
上述した課題を達成するために、本考案は、レンズフレーム本体に接続される、ネジ無し眼鏡のテンプル部材を提供する。本考案に係るネジ無し眼鏡のテンプル部材は、第１の接続部材及び第２の接続部材を含む。この第１の接続部材は、レバー部と前記レンズフレーム本体から離れる方向に向かって前記レバー部から延在された係止部とを含む。第２の接続部材は、弾性部と前記レンズフレーム本体から離れる方向に向かって前記弾性部から延在された係合部とを含む。係止部は、係合部に取り外し可能に係止される。弾性部は、係合部を支点として弾性的にレバー部に寄り掛かる。これにより、レンズフレーム本体の智が弾性部とレバー部との間に回動可能に挟持される。
【０００７】
上述した課題を達成するために、本考案は、レンズフレーム本体及び２つのテンプル部材を含むネジ無し眼鏡を提供する。レンズフレーム本体は、リム及びリムの両側から延在された一対の智を含む。上述した２つのテンプル部材は、それぞれレンズフレーム本体の両側の智に接続される。各テンプル部材は、第１の接続部材及び第２の接続部材を含む。第１の接続部材は、レバー部とレンズフレーム本体から離れる方向に向かって前記レバー部から延在された係止部とを含む。第２の接続部材は、弾性部とレンズフレーム本体から離れる方向に向かって前記弾性部から延在された係合部とを含む。係止部は、係合部に取り外し可能に係止される。弾性部は、係合部を支点として弾性的にレバー部に寄り掛かる。これにより、智が弾性部とレバー部との間に回動可能に挟持される。
【考案の効果】
【０００８】
本考案は少なくとも以下の利点を有する。
１．第１の係止部及び第２の係止部の配置を利用することによって、第１の接続部材及び第２の接続部材の間の移動を制限する。
２．フック及び軸部の設置を利用することによって、テンプル部材とレンズフレーム本体とを接続し、且つ第１の接続部材及び第２の接続部材を相互により緊密に係合させる。
３．凸頂部の設置を利用することによって、ネジ無し眼鏡を使用状態又は収納状態にしやすくし、テンプル部材が押し潰されることを低減し、装着者の圧迫感を低減する。
４．固定部材及び溝の配置を利用することによって、ネジを必要とすることなくレンズをリムにしっかりと取付けることが可能である。
【図面の簡単な説明】
【０００９】
【図１】本考案に係るネジ無し眼鏡の組み合わせを示す図である。
【図２】本考案に係るネジ無し眼鏡の局部の組み合わせを示す図である。
【図３】本考案に係るネジ無し眼鏡の局部の分解図である。
【図４】本考案に係るネジ無し眼鏡の局部の分解図である。
【図５】本考案に係るネジ無し眼鏡の取扱を示す図である。
【図６】本考案に係るネジ無し眼鏡の局部の分解図である。
【図７】本考案に係るネジ無し眼鏡の取扱を示す図である。
【図８】本考案に係るネジ無し眼鏡の局部の組み合わせを示す図である。
【図９Ａ】本考案に係るネジ無し眼鏡のリムの正面図である。
【図９Ｂ】本考案に係るネジ無し眼鏡のリムの側面図である。
【図１０Ａ】本考案に係るネジ無し眼鏡のリムの正面図である。
【図１０Ｂ】本考案に係るネジ無し眼鏡のリムの側面図である。
【考案を実施するための形態】
【００１０】
本考案の特徴及び技術内容を更に理解することができるように、以下、本考案について図面を参照しながら詳細に説明する。但し、図面は参考と説明のために用いるものに過ぎず、本考案を制限するものではない。
【実施例】
【００１１】
図１は、本考案に係るネジ無し眼鏡の組み合わせを示す図である。図１に示すように、本考案に係るネジ無し眼鏡１は、ユーザの頭部に装着される。ネジ無し眼鏡１は、レンズフレーム本体１０及び一対のテンプル部材２０を含む。レンズフレーム本体１０は、ほぼユーザの眼部に配置される。上述した一対のテンプル部材２０の一端はそれぞれユーザの耳に掛けられる。テンプル部材２０は、その特殊な構造を利用してレンズフレーム本体１０の両側に据え付けられるため、ネジを利用してロックする従来の固定方式に取って代わることができ、且つハンダを用いて溶接する必要もないため、環境保護に適し且つ組み付けが容易であるという目的を達成することができる。
【００１２】
図２は、本考案に係るネジ無し眼鏡の局部の組み合わせを示す図である。図２に示すように、テンプル部材２０の一端がレンズフレーム本体１０の両側に回動可能に接続されることによって、ネジ無し眼鏡１は収納状態及び使用状態を有することができる。収納状態とは、ネジ無し眼鏡１の収納空間を低減し、且つユーザが誤ってテンプル部材２０を押さえ付ける確率を減少させるように、レンズフレーム本体１０及びテンプル部材２０が相互に折り畳まれていることを指す。また、使用状態とは、レンズフレーム本体１０及びテンプル部材２０がそれぞれユーザの眼部及び耳介の位置に配置されていることを指す。
【００１３】
レンズフレーム本体１０は、リム１１及び一対の智１２を含む。この一対の智１２は、それぞれリム１１両側から延在され、且つリム１１に対しほぼ垂直である。リム１１は、レンズ（図示せず）を取付けてもよく、或いは本考案に係るネジ無し眼鏡１が装身具となるようにレンズを取付けなくてもよい。
【００１４】
図３は、本考案に係るネジ無し眼鏡の局部の分解図である。智１２には、穿設孔１２１、軸部１２２及び自由端に位置する一対の凸頂部１２３が設けられる。軸部１２２は、智１２のテンプル部材２０寄りの一端に位置し且つ穿設孔１２１が形成されることによって成る。換言すれば、軸部１２２は、穿設孔１２１の位置の傍に設けられ、且つ穿設孔１２１と一対の凸頂部１２３との間に位置する。この一対の凸頂部１２３は、軸部１２２の両端からテンプル部材２０の方向に向かって延在される。
【００１５】
テンプル部材２０は、第１の接続部材２１及び第２の接続部材２２を含む。第１の接続部材２１は、ユーザの頬と第２の接続部材２２との間に位置する。本実施例において、第１の接続部材２１及び第２の接続部材２２は、いずれも弾性を有する金属片がプレスされて一体成形で作製され、且つ第１の接続部材２１の板状方向はユーザの頬に対してほぼ垂直であり、第２の接続部材２２の板状方向はユーザの頬に対してほぼ平行である。
【００１６】
第１の接続部材２１は、レバー部２１１及び係止部２１２を含む。係止部２１２は、レンズフレーム本体１０から離れる方向に向かってレバー部２１１から延在して形成される。レバー部２１１のレンズフレーム本体１０寄りの一端は湾曲してフック２１１１として延在形成される。このフック２１１１は、第２の接続部材２２の方向に向かって湾曲している。係止部２１２の幅はレバー部２１１の幅よりも大きい。係止部２１２のレバー部２１１から離れる一端には第１の係止部２１２１が設けられ、係止部２１２のレバー部２１１寄りの一端には第２の係止部２１２２が設けられる。
【００１７】
本実施例において、第１の係止部２１２１は、レンズフレーム本体１０から離れる方向に向かって延在された当接凸部２１２３と収容溝２１２４とを含む。当接凸部２１２３は、係止部２１２の一側に位置し、且つ当接凸部２１２３の幅は係止部２１２の全体幅よりも小さい。収容溝２１２４は、当接凸部２１２３が形成されることによって成り、収容溝２１２４の幅は第２の接続部材２２の厚さにほぼ等しい。
【００１８】
第２の係止部２１２２は、延在部２１２５、固定凸部２１２６及び位置制限溝２１２７を含む。延在部２１２５は、係止部２１２のレバー部２１１に接続する部分である。従って、延在部２１２５の幅はレバー部２１１の幅にほぼ等しく、且つ延在部２１２５は当接凸部２１２３と同じ一側に位置する。固定凸部２１２６は、延在部２１２５と対向する一側に位置し、且つレバー部２１１の方向に向かって延在される。位置制限溝２１２７は、延在部２１２５と固定凸部２１２６との間に位置する。延在部２１２５及び固定凸部２１２６の幅の総和が依然として係止部２１２の全体幅よりも小さいため、延在部２１２５と固定凸部２１２６との間に位置制限溝２１２７が形成される。位置制限溝２１２７の幅は第２の接続部材２２の厚さにほぼ等しい。本実施例における位置制限溝２１２７の方向はレンズフレーム本体１０の智１２に向いている。
【００１９】
第２の接続部材２２は、弾性部２２１及び係合部２２２を含む。係合部２２２は、レンズフレーム本体１０から離れる方向に向かって弾性部２２１から延在して形成される。弾性部２２１には組付けスロット２２１１が設けられる。組付けスロット２２１１の長さはレバー部２１１の長さにほぼ等しく、且つ組付けスロット２２１１の幅は第１の接続部材２１の厚さにほぼ等しい。係合部２２２には係合スロット２２２１が設けられる。係合スロット２２２１の幅は第１の接続部材２１の厚さにほぼ等しい。係合スロット２２２１の壁面と組付けスロット２２１１の壁面との間に係合ホゾ２２２２が形成される。本実施例において、第２の接続部材２２は、モダン２２３を更に含む。モダン２２３は、レンズフレーム本体１０から離れる方向に向かって係合部２２２から延在して形成される。
【００２０】
図４は、本考案に係るネジ無し眼鏡１の局部の分解図である。本考案の他の実施例において、第１の接続部材２１は、モダン２１３を更に含む。モダン２１３は、レンズフレーム本体１０から離れる方向に向かって係止部２１２から延在して形成される。
【００２１】
図５は、本考案に係るネジ無し眼鏡１の取扱を示す図である。図２、図３及び図５に示すように、テンプル部材２０の展開状態における長手方向をＸ軸と定義し、このＸ軸に対して垂直であり且つリム１１に対して平行である方向をＹ軸と定義する。係止部２１２は係合スロット２２２１を貫通し、且つ第１の係止部２１２１及び第２の係止部２１２２はそれぞれ係合部２２２の両端縁に係合する。係合部２２２のレンズフレーム本体１０から離れる端縁は第１の接続部材２１の収容溝２１２４内に収容される。即ち、当接凸部２１２３が係合部２２２のレンズフレーム本体１０から離れる端縁に当接することによって、第１の接続部材２１と第２の接続部材２２との間のＹ軸方向に沿った移動が制限される。係合スロット２２２１のレンズフレーム本体１０から離れる一端のスロット壁と収容溝２１２４のレンズフレーム本体１０寄りの一端の溝壁とが互いに当接することによって、第１の接続部材２１と第２の接続部材２２との間のＸ軸方向に沿った移動が制限される。係合部２２２のレンズフレーム本体１０寄りの端縁（即ち係合ホゾ２２２２）は位置制限溝２１２７に収容され、延在部２１２５及び固定凸部２１２６は係合部２２２のレンズフレーム本体１０寄りの端縁の両面に設けられる。これにより、係合スロット２２２１のレンズフレーム本体１０寄りの一端のスロット壁と位置制限溝２１２７のレンズフレーム本体１０寄りの一端の溝壁とが互いに当接する。即ち、係合ホゾ２２２２が位置制限溝２１２７に収容されることによって、第１の接続部材２１と第２の接続部材２２との間のＸ軸方向に沿った移動が制限される。延在部２１２５及び固定凸部２１２６によって、第１の接続部材２１と第２の接続部材２２との間のＹ軸方向に沿った移動が制限される。
【００２２】
本実施例において、係止部２１２の長さは、係合スロット２２２１の長さよりも大きく、第１の接続部材２１と第２の接続部材２２とが装着される場合、まずレバー部２１１が組付けスロット２２１１を貫通することによって、係合部２２２のレンズフレーム本体１０寄りの端縁がスムーズに位置制限溝２１２７に収容され、当接凸部２１２３が係合部２２２の他の端縁に当接する。
【００２３】
図２、図３及び図５に示すように、レバー部２１１のフック２１１１が穿設孔１２１を貫通するとともに軸部１２２に据え付けられ、且つ軸部１２２がフック２１１１と弾性部２２１との間に設けられる。即ち、凸頂部１２３がレバー部２１１の両辺に設けられるとともに、弾性部２２１に当接する。軸部１２２がフック２１１１内に係止されると、軸部１２２がレバー部２１１及び弾性部２２１を押し開くことによって、係合部２２２が固定凸部２１２６に当接し、且つ弾性部２２１が係合部２２２を支点としてレバー部２１１から離れ、レバー部２１１が係止部２１２を支点として弾性部２２１から離れる。第１の接続部材２１及び第２の接続部材２２がいずれも弾性材質から成るため、軸部１２２がフック２１１１内に係止すると、レバー部２１１及び弾性部２２１に相互に寄り掛かろうとする力が生じ、それによって軸部１２２がその間にしっかりと挟持される。このような構造配置によって、テンプル部材２０が移動しようとする力を有するため、本考案に係るネジ無し眼鏡１では、ユーザの頭部形状の大きさが制限されない。
【００２４】
図６は、本考案に係るネジ無し眼鏡の他の実施例の局部の分解図である。図７は、本考案に係るネジ無し眼鏡の他の実施例の取扱を示す図である。図６及び図７に示すように、本考案の他の実施例においては、レバー部２１１のレンズフレーム本体１０寄りの一端に当接スラット２１１２が延在して形成され、且つ当接スラット２１１２とフック２１１１とが並列する。軸部１２２がフック２１１１内に係止すると、当接スラット２１１２が組付けスロット２２１１を貫通して一部が軸部１２２に当接し、それによって、第１の接続部材２１と智１２との間の変位が制限される。軸部１２２は、フック２１１１が軸部１２２を軸として回動する際により円滑に回動するように、円軸（図示せず）としてもよい。
【００２５】
図６に示すように、本考案の他の実施例における第２の係止部２１２２には、切欠き２１２８が設けられる。係合部２２２のレンズフレーム本体１０寄りの端縁が当該切欠き２１２８に収容される。即ち、係合ホゾ２２２２が切欠き２１２８に収容される。
【００２６】
図２及び図３に示すように、ネジ無し眼鏡１が使用状態にある場合、智１２は第２の接続部材２２に貼り合わされる。即ち、智１２と第２の接続部材２２との間の角度は０度である。上述したように、軸部１２２はレバー部２１１と弾性部２２１とを一定距離押し開くが、この使用状態において、上述した距離は智１２の厚さにほぼ等しい。ネジ無し眼鏡１が収納状態にある場合、智１２と第２の接続部材２２とは所定の角度を挟み、且つこの所定の角度は９０度よりも大きい。また、凸頂部１２３が第２の接続部材２２を押圧することにより、レバー部２１１と弾性部２２１との間の距離は更に大きくなる。ネジ無し眼鏡１が使用状態から折り畳まれて収納状態となった場合、智１２と第２の接続部材２２との角度は、０度から上述した所定の角度になり、凸頂部１２３と第２の接続部材２２との接触面積及び摩擦力の大きさが異なり、且つレバー部２１１及び弾性部２２１から智１２に加わる力が大きくなる。これによって、凸頂部１２３は、ネジ無し眼鏡１が上述した使用状態及び収納状態にある場合に摺動しない状態に保持される。ネジ無し眼鏡１がもし上述した使用状態及び収納状態にない場合、凸頂部１２３が第２の接続部材２２との間で摺動し、ネジ無し眼鏡１は収納状態又は使用状態に変化する。このような構造配置によって、従来のバネの弾性機能に取って代わることができ、装着者の圧迫感を低減することができるとともに、ユーザがより簡単にネジ無し眼鏡１を収納することができるようになり、且つテンプル部材２０が完全に折り畳まれないことによって押し潰されることを回避することが可能である。
【００２７】
図８は、本考案に係るネジ無し眼鏡の他の実施例の組み合わせを示す図である。図６、図７及び図８に示すように、ネジ無し眼鏡１が使用状態にある場合、当接スラット２１１２が弾性部２２１のレンズフレーム本体１０寄りの一端に当接し、切欠き２１２８が係合部２２２の係合ホゾ２２２２を収容する。従って、切欠き２１２８によって、第１の接続部材２１と第２の接続部材２２との間のＸ軸方向の移動が制限される。一方、当接スラット２１１２によって、第１の接続部材２１と智１２との間のＹ軸方向の移動が制限される。
【００２８】
図９Ａ、図１０Ａは、リム１１の他の実施例の正面図である。図９Ｂ、図１０Ｂは、リム１１の他の実施例の側面図である。図１０Ａに示すように、本考案に係るネジ無し眼鏡１は、固定部材３０を更に含む。当該固定部材３０の兩端は当止部３１であり、２つの当止部３１の間は固定本体３２である。本考案の実施例において、固定本体３２はバネであるが、或いは弾性体であってもよい。
【００２９】
図９Ａ、図９Ｂに示すように、リム１１の第１のリム１１１及び第２のリム１１２のそれぞれには、溝孔１１１２、１１２２が設けられている。溝孔１１１２、１１２２はいずれも斜向しており、リム１１の内側から外側へ、第１のリム１１１及び第２のリム１１２の接続箇所に向かって傾斜している。即ち、溝孔１１１２、１１２２は、内側から外側へ行くほど近接している。
【００３０】
図１０Ａ及び図１０Ｂに示すように、固定部材３０がそれぞれ溝孔１１１２、１１２２を貫通することで、固定部材３０の両端の当止部３１がそれぞれ第１のリム１１１及び第２のリム１１２に当接することによって、固定本体３２が引き伸ばされて弾性力が生じ、固定本体３２の弾性力を利用して第１のリム１１１及び第２のリム１１２が固定され、第１のリム１１１及び第２のリム１１２が弾性的に相互に接続される。更に、溝孔１１１２、１１２２の斜向配置によって、固定部材３０が溝孔１１１２、１１２２から滑り出にくくなる。レンズがリム１１に取付けられた場合、レンズは固定本体３２が引き伸ばされたことによって生じた弾性力によってリム１１中に固定される。このような取付け方法により、固定時にレンズが押圧力を受けることを低減し、ひいてはレンズの使用寿命を増加させることができる。このような構造配置を利用することで、レンズ（図示せず）をリム１１の中にしっかりと取付けることができ、且つネジを使用してレンズをリム１１にロックすることを回避することができる。
【００３１】
このように、本考案は少なくとも以下の利点を有する。
１．第１の係止部及び第２の係止部の配置を利用することによって、第１の接続部材及び第２の接続部材の間の移動を制限する。
２．フック及び軸部の設置を利用することによって、テンプル部材とレンズフレーム本体とを接続し、且つ第１の接続部材及び第２の接続部材を相互により緊密に係合させる。
３．凸頂部の設置を利用することによって、ネジ無し眼鏡を使用状態又は収納状態にしやすくし、テンプル部材が押し潰されることを低減し、装着者の圧迫感を低減する。
４．固定部材及び溝の配置を利用することによって、ネジを必要とすることなくレンズをリムにしっかりと取付けることが可能である。
【００３２】
以上の記載内容は、本考案の好ましい実施例に過ぎず、本願の権利範囲を限定するものではない。従って、本願の明細書及び図面の内容を運用することによって為された等価の変更は、すべて同様の理由により本願の権利保護範囲に含まれる。
【符号の説明】
【００３３】
１    ネジ無し眼鏡
１０    レンズフレーム本体
１１    リム
１１１    第１のリム
１１１２    溝
１１２    第２のリム
１１２２    溝
１２    智
１２１    穿設孔
１２２    軸部
１２３    凸頂部
２０    テンプル部材
２１    第１の接続部材
２１１    レバー部
２１１１    フック
２１１２    当接スラット
２１２    係止部
２１２１    第１の係止部
２１２２    第２の係止部
２１２３    当接凸部
２１２４    収容溝
２１２５    延在部
２１２６    固定凸部
２１２７    位置制限溝
２１２８    切欠き
２１３    モダン
２２    第２の接続部材
２２１    弾性部
２２１１    組付けスロット
２２２    係合部
２２２１    係合スロット
２２２２    係合ホゾ
２２３    モダン
３０    固定部材
３１    当止部
３２    固定本体
【図１】
0003188234.tif 000003
【図２】
0003188234.tif 000004
【図３】
0003188234.tif 000005
【図４】
0003188234.tif 000006
【図５】
0003188234.tif 000007
【図６】
0003188234.tif 000008
【図７】
0003188234.tif 000009
【図８】
0003188234.tif 000010
【図９Ａ】
0003188234.tif 000011
【図９Ｂ】
0003188234.tif 000012
【図１０Ａ】
0003188234.tif 000013
【図１０Ｂ】
0003188234.tif 000014
【手続補正書】
【提出日】平成25年11月6日(2013.11.6)
【手続補正１】
【補正対象書類名】実用新案登録請求の範囲
【補正対象項目名】全文
【補正方法】変更
【補正の内容】
【実用新案登録請求の範囲】
【請求項１】
レンズフレーム本体に接続されるネジ無し眼鏡のテンプル部材であって、
レバー部と前記レンズフレーム本体から離れる方向に向かって前記レバー部から延在された係止部とを含む第１の接続部材と、
弾性部と前記レンズフレーム本体から離れる方向に向かって前記弾性部から延在された係合部とを含む第２の接続部材と、
を含み、
前記係止部が前記係合部に取り外し可能に係止され、前記弾性部が前記係合部を支点として弾性的に前記レバー部に寄り掛かることによって、前記レンズフレーム本体の智が前記弾性部と前記レバー部との間に回動可能に挟持されることを特徴とするネジ無し眼鏡のテンプル部材。
【請求項２】
前記レバー部の前記レンズフレーム本体寄りの一端は湾曲して前記弾性部の方向に向かうフックとして延在形成され、前記フックが回動可能に前記智に据え付けられることを特徴とする請求項１に記載のネジ無し眼鏡のテンプル部材。
【請求項３】
前記レバー部の前記レンズフレーム本体寄りの一端に当接スラットが延在して形成され、前記当接スラットが前記智に当接することを特徴とする請求項２に記載のネジ無し眼鏡のテンプル部材。
【請求項４】
前記係止部には、前記レバー部から離れる第１の係止部と、前記レバー部に隣接する第２の係止部が設けられ、前記係合部には、係合スロットが設けられ、前記係止部が前記係合スロットを貫通し、且つ前記第１の係止部及び前記第２の係止部がそれぞれ前記係合部の両端縁に係合することを特徴とする請求項１に記載のネジ無し眼鏡のテンプル部材。
【請求項５】
前記係止部は、その幅が前記レバー部の幅よりも大きく且つ前記第２の接続部材に向かって延在され、
前記第１の係止部は、当接凸部と、前記当接凸部によって形成された収容溝とを含み、
前記第２の係止部は、延在部と、固定凸部と、前記延在部及び前記固定凸部によって共同で形成された位置制限溝とを含むことを特徴とする請求項４に記載のネジ無し眼鏡のテンプル部材。
【請求項６】
前記第２の係止部には、切欠きが設けられ、前記係合部の前記弾性部寄りの一端には、係合ホゾが形成され、前記係合ホゾが前記切欠きに収容されることを特徴とする請求項４に記載のネジ無し眼鏡のテンプル部材。
【請求項７】
前記第１の接続部材は、前記レバー部から離れる方向に向かって前記係止部から延在された、ユーザの耳に掛けられるモダンを更に含むことを特徴とする請求項１に記載のネジ無し眼鏡のテンプル部材。
【請求項８】
前記第１の接続部材は、ユーザの頬と前記第２の接続部材との間に位置することを特徴とする請求項１に記載のネジ無し眼鏡のテンプル部材。
【請求項９】
前記第２の接続部材は、ユーザの頬に対してほぼ平行し、前記第１の接続部材は、前記第２の接続部材に対してほぼ垂直であることを特徴とする請求項１に記載のネジ無し眼鏡のテンプル部材。
【請求項１０】
前記弾性部は、組付けスロットを有し、前記第１の接続部材の前記レバー部は前記組付けスロットまで選択的に延在されることを特徴とする請求項１に記載のネジ無し眼鏡のテンプル部材。
【請求項１１】
前記第２の接続部材は、前記レバー部から離れる方向に向かって前記係合部から延在された、ユーザの耳に掛けられるモダンを更に含むことを特徴とする請求項１に記載のネジ無し眼鏡のテンプル部材。
【請求項１２】
リム及び前記リムの両側から延在された一対の智を含むレンズフレーム本体と、
レバー部と前記レンズフレーム本体から離れる方向に向かって前記レバー部から延在された係止部とを含む第１の接続部材と、弾性部と前記レンズフレーム本体から離れる方向に向かって前記弾性部から延在された係合部とを含む第２の接続部材と、を含み、前記係止部が前記係合部に取り外し可能に係止され、前記弾性部が前記係合部を支点として弾性的に前記レバー部に寄り掛かることによって、前記智が前記弾性部と前記レバー部との間に回動可能に挟持される、前記レンズフレーム本体の両側の前記智に接続される２つのテンプル部材と、
を含むことを特徴とするネジ無し眼鏡。
【請求項１３】
前記レバー部の前記レンズフレーム本体寄りの一端は湾曲して前記弾性部の方向に向かうフックとして延在形成され、前記智には穿設孔及び軸部が設けられ、前記フックが前記穿設孔を貫通し、且つ前記フックが回動可能に前記軸部に据え付けられることを特徴とする請求項１２に記載のネジ無し眼鏡。
【請求項１４】
前記智は、前記リムから離れる方向に向かって前記軸部両端から延在され、前記弾性部に弾性的に当接する一対の凸頂部を更に含むことを特徴とする請求項１２に記載のネジ無し眼鏡。